【手続補正書】
【提出日】平成18年12月7日(2006.12.7)
【手続補正１】
【補正対象書類名】明細書
【補正対象項目名】発明の名称
【補正方法】変更
【補正の内容】
【発明の名称】ユーザ情報ポイント管理システム、ポイント取得端末及びユーザ情報ポイント管理システムの制御方法
【手続補正２】
【補正対象書類名】明細書
【補正対象項目名】特許請求の範囲
【補正方法】変更
【補正の内容】
【特許請求の範囲】
【請求項１】  通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムであって、
前記サーバは、
前記端末から送られてくるデータを受信するデータ受信手段と、
前記データ受信手段で受信されたデータの内容を解析し判別する受信データ判別手段と、
前記受信データ判別手段にて判別した結果、ユーザの現在位置を示すデータの場合に、
そのデータを取得するアクセスユーザ現在位置取得手段と、
前記アクセスユーザ現在位置取得手段にて取得したユーザの現在位置に応じて、アクセスしてきたユーザに提供するユーザ情報ポイントを算出し調整するユーザ情報提供ポイント調整手段と、
前記ユーザ情報提供ポイント調整手段にて調整されたユーザ情報ポイントを前記端末に送信する送信手段と、
を備え、
前記端末は、
当該端末の現在位置を取得する現在位置取得手段と、前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータからユーザ情報ポイントを判別する受信データ判別手段と、
前記受信データ判別手段で判別した結果、ユーザ情報ポイントを少なくとも１つ格納するユーザ情報ポイント格納手段と、
予めユーザ情報ポイントの利用条件が格納された利用条件格納手段と、
前記ユーザ情報ポイント格納手段に格納されるユーザ情報ポイントがある条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とするユーザ情報ポイント管理システム。
【請求項２】  前記サーバは、さらにアクセスしてきたユーザのアクセスポイントを取得するアクセスポイント取得手段を備え、
前記ユーザ情報提供ポイント調整手段は、前記アクセスポイント取得手段にて取得したアクセスポイントと前記アクセスユーザ現在位置取得手段にて取得したユーザの現在位置に応じて、アクセスしてきたユーザに提供するポイントを調整することを特徴とする請求項１記載のユーザ情報ポイント管理システム。
【請求項３】  前記サーバは、さらにアクセスしてきたユーザのアクセス開始時刻を取得するアクセス開始時刻取得手段を備え、
前記ユーザ情報提供ポイント調整手段は、前記アクセス開始時刻取得手段にて取得したユーザのアクセス開始時刻に応じて、アクセスしてきたユーザに提供するポイントを調整することを特徴とする請求項１乃至２記載のユーザ情報ポイント管理システム。
【請求項４】  通信ネットワークを介してアクセスしてきたユーザに対するユーザ情報ポイントを管理するサーバとデータ通信を行い、前記サーバからユーザ情報ポイントを取得するポイント取得端末であって、
ポイント取得端末自身の現在位置を取得する現在位置取得手段と、
前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータから、前記現在位置に応じたユーザ情報ポイントを判別する受信データ判別手段と、
前記受信データ判別手段で判別した結果に基づいて、ユーザ情報ポイントを少なくとも１つ格納するユーザ情報ポイント格納手段と、
予めユーザ情報ポイントの利用条件を格納する利用条件格納手段と、
前記ユーザ情報ポイント格納手段に格納されているユーザ情報ポイントが、前記利用条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とするポイント取得端末。
【請求項５】  前記ユーザ情報ポイント判定手段は、
前記ユーザ情報ポイント格納手段に格納されているユーザ情報ポイントと、前記利用条件格納手段に格納されている利用条件のポイントとの差を判定し、
前記ユーザ情報ポイント格納手段に格納されているユーザ情報ポイントと前記利用条件のポイントとの差が予め決まっている値以下であることを報知する機能をさらに備えることを特徴とする請求項４記載のポイント取得端末。
【請求項６】  通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムの制御方法であって、
前記サーバは、
前記端末から送られてくるデータを受信するデータ受信ステップと、
前記受信されたデータの内容を解析し判別する受信データ判別ステップと、
前記判別した結果、ユーザの現在位置を示すデータの場合に、そのデータを取得するアクセスユーザ現在位置取得ステップと、
前記取得したユーザの現在位置に応じて、アクセスしてきたユーザに提供するユーザ情報ポイントを算出し調整するユーザ情報提供ポイント調整ステップと、
前記調整されたユーザ情報ポイントを前記端末に送信する送信ステップを順次実行し、
前記端末は、
当該端末の現在位置を取得する現在位置取得ステップと、
前記取得した現在位置を前記通信ネットワークを介して前記サーバに送信する現在位置送信ステップと、
前記通信ネットワークを介して前記サーバからのデータを受信するデータ受信ステップと、
前記受信したデータからユーザ情報ポイントを判別する受信データ判別ステップと、
前記判別した結果、ユーザ情報ポイントを少なくとも１つ格納するユーザ情報ポイント格納ステップと、
予めユーザ情報ポイントの利用条件を格納する利用条件格納ステップと、
前記格納されるユーザ情報ポイントが前記利用条件を満たすかどうかを判定するユーザ情報ポイント判定ステップと、
前記判定した結果、ユーザ情報ポイントが前記利用条件を満たすと判定された場合、前記格納されているユーザ情報ポイントを前記通信ネットワークに接続されているサーバに対して送信するユーザ情報ポイント送信ステップを順次実行することを特徴とするユーザ情報ポイント管理システムの制御方法。
【手続補正３】
【補正対象書類名】明細書
【補正対象項目名】０００７
【補正方法】変更
【補正の内容】
【０００７】
本発明に係るユーザ情報管理システムは、通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムであって、
前記サーバは、
前記端末から送られてくるデータを受信するデータ受信手段と、
前記データ受信手段で受信されたデータの内容を解析し判別する受信データ判別手段と、
前記受信データ判別手段にて判別した結果、ユーザの現在位置を示すデータの場合に、
そのデータを取得するアクセスユーザ現在位置取得手段と、
前記アクセスユーザ現在位置取得手段にて取得したユーザの現在位置に応じて、アクセスしてきたユーザに提供するユーザ情報ポイントを算出し調整するユーザ情報提供ポイント調整手段と、
前記ユーザ情報提供ポイント調整手段にて調整されたユーザ情報ポイントを前記端末に送信する送信手段と、
を備え、
前記端末は、
当該端末の現在位置を取得する現在位置取得手段と、前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータからユーザ情報ポイントを判別する受信データ判別手段と、
前記受信データ判別手段で判別した結果、ユーザ情報ポイントを少なくとも１つ格納するユーザ情報ポイント格納手段と、
予めユーザ情報ポイントの利用条件が格納された利用条件格納手段と、
前記ユーザ情報ポイント格納手段に格納されるユーザ情報ポイントがある条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とする。
【手続補正４】
【補正対象書類名】明細書
【補正対象項目名】０００９
【補正方法】変更
【補正の内容】
【０００９】
さらに、本発明に係るユーザ情報ポイント管理システムは、前記サーバがアクセスしてきたユーザのアクセス開始時刻を取得するアクセス開始時刻取得手段を備え、前記ユーザ情報提供ポイント調整手段が前記アクセス開始時刻取得手段にて取得したユーザのアクセス開始時刻に応じて、アクセスしてきたユーザに提供するポイントを調整することを特徴とする。
また本発明に係るポイント取得端末は、通信ネットワークを介してアクセスしてきたユーザに対するユーザ情報ポイントを管理するサーバとデータ通信を行い、前記サーバからユーザ情報ポイントを取得するポイント取得端末であって、
ポイント取得端末自身の現在位置を取得する現在位置取得手段と、
前記現在位置取得手段にて取得した現在位置を前記通信ネットワークを介して前記サーバに送信する現在位置送信手段と、
前記通信ネットワークを介して前記サーバからのデータを受信するデータ受信手段と、
前記データ受信手段で受信したデータから、前記現在位置に応じたユーザ情報ポイントを判別する受信データ判別手段と、
前記受信データ判別手段で判別した結果に基づいて、ユーザ情報ポイントを少なくとも１つ格納するユーザ情報ポイント格納手段と、
予めユーザ情報ポイントの利用条件を格納する利用条件格納手段と、
前記ユーザ情報ポイント格納手段に格納されているユーザ情報ポイントが、前記利用条件を満たすかどうかを判定するユーザ情報ポイント判定手段と、
前記ユーザ情報ポイント判定手段にて判定した結果、ユーザ情報ポイントが前記利用条件を満たすと判定された場合、前記ユーザ情報ポイント格納手段に格納されているユーザ情報ポイントを前記通信ネットワークに接続されているサーバに対して送信するユーザ情報ポイント送信手段と、
を備えてなることを特徴とする。
さらに、本発明に係るポイント取得端末は、前記ユーザ情報ポイント判定手段が、
前記ユーザ情報ポイント格納手段に格納されているユーザ情報ポイントと、前記利用条件格納手段に格納されている利用条件のポイントとの差を判定し、
前記ユーザ情報ポイント格納手段に格納されているユーザ情報ポイントと前記利用条件のポイントとの差が予め決まっている値以下であることを報知する機能をさらに備えることを特徴とする。
【手続補正５】
【補正対象書類名】明細書
【補正対象項目名】００１０
【補正方法】変更
【補正の内容】
【００１０】
また、本発明に係るユーザ情報ポイント管理システムの制御方法は、通信ネットワークを介してアクセスしてきたユーザに対するユーザ情報ポイントを管理するサーバと、前記サーバに対してユーザがアクセスしてユーザ情報ポイントを取得する端末とから構成されてなるユーザ情報ポイント管理システムの制御方法であって、
前記サーバは、
前記端末から送られてくるデータを受信するデータ受信ステップと、
前記受信されたデータの内容を解析し判別する受信データ判別ステップと、
前記判別した結果、ユーザの現在位置を示すデータの場合に、そのデータを取得するアクセスユーザ現在位置取得ステップと、
前記取得したユーザの現在位置に応じて、アクセスしてきたユーザに提供するユーザ情報ポイントを算出し調整するユーザ情報提供ポイント調整ステップと、
前記調整されたユーザ情報ポイントを前記端末に送信する送信ステップを順次実行し、
前記端末は、
当該端末の現在位置を取得する現在位置取得ステップと、
前記取得した現在位置を前記通信ネットワークを介して前記サーバに送信する現在位置送信ステップと、
前記通信ネットワークを介して前記サーバからのデータを受信するデータ受信ステップと、
前記受信したデータからユーザ情報ポイントを判別する受信データ判別ステップと、
前記判別した結果、ユーザ情報ポイントを少なくとも１つ格納するユーザ情報ポイント格納ステップと、
予めユーザ情報ポイントの利用条件を格納する利用条件格納ステップと、
前記格納されるユーザ情報ポイントが前記利用条件を満たすかどうかを判定するユーザ情報ポイント判定ステップと、
前記判定した結果、ユーザ情報ポイントが前記利用条件を満たすと判定された場合、前記格納されているユーザ情報ポイントを前記通信ネットワークに接続されているサーバに対して送信するユーザ情報ポイント送信ステップを順次実行することを特徴とする。
【手続補正６】
【補正対象書類名】明細書
【補正対象項目名】００４５
【補正方法】変更
【補正の内容】
【００４５】
【発明の効果】
本発明におけるユーザ情報ポイント管理システム、ポイント取得端末及びユーザ情報ポイント管理システムの制御方法では、以下の効果が得られる。
【手続補正７】
【補正対象書類名】明細書
【補正対象項目名】００４８
【補正方法】変更
【補正の内容】
【００４８】
本発明における３つ目は、ネットワークに最初に接続開始する時刻（アクセス開始時刻）に応じても、アクセスしてきたユーザに対して提供するクーポンを調整するようにしたため、アクセス開始時刻もユーザ情報ポイント調整の対象となり、ユーザにとっては、場所の移動及びアクセスするポイントを変更しなくても、ネットワークにアクセスする時刻を変えるだけで、クーポンを取得することができるようになり、新たな楽しみ方を提供することができるようになる。
本発明における４つ目は、ポイント取得端末自身の現在位置に応じてクーポンを取得することができ、利用条件を満たせばポイント取得端末のユーザは、特典を受けることができる。
本発明における５つ目は、取得したクーポンが利用条件に接近していることをユーザが知ることができるので、貯まっているクーポンを無駄にすることなく、有効に利用することができる。
【手続補正８】
【補正対象書類名】明細書
【補正対象項目名】００４９
【補正方法】変更
【補正の内容】
【００４９】
本発明における６つ目は、ネットワークを介して接続したサーバからクーポンやクーポン利用条件を入手し、入手したクーポンがクーポン利用条件を満たしたかどうかを自動的に判別し、条件を満たした場合に、サーバに対して取得したクーポンを送信するようにしたため、ユーザはクーポンの収集において、クーポンの有効期限や利用にあたっての最低必要数等の条件を知らなくても、自動的に端末が判定して後の処理を行うので、より簡単にクーポンを利用していくことができると共に、せっかく収集したクーポンを無駄にしないようなシステムを提供することができる。